(57)【特許請求の範囲】
【請求項１】
第１の休止装置によって、データストリーム伝送を実施するステップと、
前記第１の休止装置によって、省エネルギー状態に入るように示すメッセージを受け取るステップと、
省エネルギー状態に入るように示す前記メッセージを受け取った後に、稼働装置がユーザ情報を受け取って同期するように、前記第１の休止装置によって、記憶されている前記ユーザ情報を前記稼働装置に送るステップと、
前記第１の休止装置によって、前記ユーザ情報が同期された後に、伝送状態をスタンバイに設定してスリープ状態に入るステップとを含み、
前記稼働装置は、第１の稼働装置および第２の稼働装置を含み、
前記第１の稼働装置および前記第２の稼働装置はホットスタンバイ機構を提供するグループを構成し、
前記第１の休止装置によって、前記記憶されているユーザ情報を前記稼働装置に送るステップが、前記第１の休止装置によって、前記記憶されているユーザ情報を前記第１の稼働装置に送り、前記第１の稼働装置によって、前記ユーザ情報を前記第２の稼働装置と同期するステップを含む、
データストリーム伝送の方法。
【請求項２】
前記第１の休止装置によって、回復指示メッセージを受け取るステップと、
前記第１の休止装置によって、前記回復指示メッセージを受け取った後に、前記稼働装置が送った前記ユーザ情報を受け取って同期するステップと、
前記ユーザ情報が同期された後に、前記第１の休止装置によって、前記伝送状態をメインに設定してデータストリーム伝送を実施するステップとをさらに含む請求項1に記載の方法。
【請求項３】
前記第１の休止装置によって、前記伝送状態をメインに設定してデータストリーム伝送を実施するステップが、
前記データストリームの切換えをトリガするために上流装置にルーティングを分配するステップと、
前記伝送状態をメインに設定するように、自身の仮想ルータ冗長プロトコルに従って装置優先度を高に設定するステップと、
下流装置にアドレス解決プロトコルパケットを送るステップとを含む請求項2記載の方法。
【請求項４】
第１の休止装置によって、データストリーム伝送を実施するステップと、
前記第１の休止装置によって、省エネルギー状態に入るように示すメッセージを受け取るステップと、
省エネルギー状態に入るように示す前記メッセージを受け取った後に、稼働装置がユーザ情報を受け取って同期するように、前記第１の休止装置によって、記憶されている前記ユーザ情報を前記稼働装置に送るステップと、
前記第１の休止装置によって、前記ユーザ情報が同期された後に、伝送状態をスタンバイに設定してスリープ状態に入るステップとを含み、
前記稼働装置は、第１の稼働装置および第２の稼働装置を含み、
前記第１の稼働装置および前記第２の稼働装置はホットスタンバイ機構を提供するグループを構成し、
前記記憶されているユーザ情報を前記稼働装置に送るステップが、
前記第１の休止装置によって、前記記憶されているユーザ情報を前記第１の稼働装置に送り、第２の休止装置によって、前記記憶されているユーザ情報を前記第２の稼働装置に送るステップであって、前記第１の休止装置および第２の休止装置がホットスタンバイ機構を提供するグループを構成する、ステップ、または
前記第１の休止装置によって、前記記憶されているユーザ情報を前記第１の稼働装置に送り、前記第１の休止装置によって、前記記憶されているユーザ情報を前記第２の稼働装置に送るステップを含むデータストリーム伝送の方法。
【請求項５】
前記第１の休止装置および第２の休止装置がホットスタンバイ機構を提供するグループを構成し、
前記第１の休止装置によって、前記稼働装置に記憶されている前記ユーザ情報を受け取って同期するステップが、
前記第１の休止装置によって、前記第１の稼働装置に記憶されている前記ユーザ情報を受け取って同期し、前記ユーザ情報を前記第２の休止装置と同期するステップ、または
前記第１の休止装置によって、前記第１の稼働装置に記憶されている前記ユーザ情報を受け取って同期し、前記第２の休止装置によって、前記第２の稼働装置に記憶されている前記ユーザ情報を受け取って同期するステップ、または
前記第１の休止装置によって、前記第１の稼働装置に記憶されている前記ユーザ情報を受け取って同期し、前記第２の稼働装置によって、前記第１の稼働装置に記憶されている前記ユーザ情報を受け取って同期するステップを含む請求項2または3に記載の方法。
【請求項６】
第１の稼働装置によって、システム全体として省エネルギー状態に入るように示すメッセージを受け取るステップと、
前記第１の稼働装置によって、前記省エネルギー状態に入るように示すメッセージを受け取った後に、第１の休止装置が送ったユーザ情報を受け取って同期するステップと、
前記第１の稼働装置によって、前記ユーザ情報が同期された後に、伝送状態をメインに設定してデータストリーム伝送を行うステップとを含み、
稼働装置は、第１の稼働装置および第２の稼働装置を含み、
前記第１の稼働装置および前記第２の稼働装置はホットスタンバイ機構を提供するグループを構成し、
前記第１の休止装置が送った前記ユーザ情報を受け取って同期するステップが、
前記第１の稼働装置によって、前記第１の休止装置が送った前記ユーザ情報を受け取って同期し、前記ユーザ情報を前記第２の稼働装置と同期するステップを含む、データストリーム伝送の方法。
【請求項７】
第１の稼働装置によって、前記伝送状態をメインに設定してデータストリーム伝送を実施するステップが、
前記データストリームの切換えをトリガするために上流装置にルーティングを分配するステップと、
前記伝送状態をメインに設定するように、自身の仮想ルータ冗長プロトコルに従って装置優先度を高に設定するステップと、
下流装置にアドレス解決プロトコルパケットを送るステップとを含む請求項6に記載の方法。
【請求項８】
第１の稼働装置によって、回復指示メッセージを受け取るステップと、
第１の稼働装置によって、前記回復指示メッセージを受け取った後に、前記第１の休止装置がユーザ情報を受け取って同期するように、記憶されている前記ユーザ情報を前記第１の休止装置に送るステップと、
第１の稼働装置によって、前記ユーザ情報が同期された後に、前記伝送状態をスタンバイに設定するステップとをさらに含む請求項6または7に記載の方法。
【請求項９】
第１の稼働装置によって、システム全体として省エネルギー状態に入るように示すメッセージを受け取るステップと、
第１の稼働装置によって、前記省エネルギー状態に入るように示すメッセージを受け取った後に、第１の休止装置が送ったユーザ情報を受け取って同期するステップと、
第１の稼働装置によって、前記ユーザ情報が同期された後に、伝送状態をメインに設定してデータストリーム伝送を行うステップとを含み、
稼働装置は、第１の稼働装置および第２の稼働装置を含み、
前記第１の稼働装置および前記第２の稼働装置はホットスタンバイ機構を提供するグループを構成し、
前記第１の稼働装置によって、前記第１の休止装置が送った前記ユーザ情報を受け取って同期するステップが、
前記第１の稼働装置によって、前記第１の休止装置が送った前記ユーザ情報を受け取って同期し、前記第２の稼働装置によって、第２の休止装置が送った前記ユーザ情報を受け取って同期するステップであって、前記第１の休止装置および前記第２の休止装置がホットスタンバイ機構を提供するグループを構成する、ステップ、または
前記第１の稼働装置によって、前記第１の休止装置が送った前記ユーザ情報を受け取って同期し、前記第２の稼働装置によって、前記第１の休止装置が送った前記ユーザ情報を受け取って同期するステップを含む方法。
【請求項１０】
前記第１の休止装置および第２の休止装置がホットスタンバイ機構を提供するグループを構成し、
前記第１の稼働装置によって、前記記憶されているユーザ情報を前記第１の休止装置に送るステップが、
前記第１の稼働装置によって、前記記憶されているユーザ情報を前記第１の休止装置に送り、前記第１の休止装置によって、前記ユーザ情報を前記第２の休止装置と同期するステップ、または
前記第１の稼働装置によって、前記記憶されているユーザ情報を前記第１の休止装置に送り、前記第２の稼働装置によって、前記記憶されているユーザ情報を前記第２の休止装置に送るステップ、または
前記第１の稼働装置によって、前記記憶されているユーザ情報を前記第１の休止装置に送り、前記記憶されているユーザ情報を前記第２の休止装置に送るステップを含む請求項8に記載の方法。
【請求項１１】
省エネルギー状態に入るように示すメッセージを受け取るように構成された受信ユニットと、
前記受信ユニットが省エネルギー状態に入るように示す前記メッセージを受け取った後に、データ伝送用の第１の稼働装置がユーザ情報を受け取って同期するとともに前記ユーザ情報を第２の稼働装置と同期するように、記憶されている前記ユーザ情報を前記データ伝送用の第１の稼働装置に送るように構成された同期ユニットと、
前記ユーザ情報が同期された後に、伝送状態をスタンバイに設定してスリープ状態に入るように構成された設定ユニットとを備え、
前記第１の稼働装置および前記第２の稼働装置はホットスタンバイ機構を提供するグループを構成する、データ伝送用の休止装置。
【請求項１２】
前記受信ユニットが、回復指示メッセージを受け取るようにさらに構成されており、
前記同期ユニットが、前記受信ユニットが前記回復指示メッセージを受け取った後に、前記データ伝送用の第１の稼働装置が送った前記ユーザ情報を受け取って同期するようにさらに構成されており、
前記設定ユニットが、前記ユーザ情報が同期された後に、前記伝送状態をメインに設定してデータストリーム切換えを実施するようにさらに構成されている請求項11に記載のデータ伝送用の休止装置。
【請求項１３】
システム全体として省エネルギー状態に入るように示すメッセージを受け取るように構成された受信ユニットと、
前記受信ユニットが省エネルギー状態に入るように示す前記メッセージを受け取った後に、データ伝送用の休止装置が送ったユーザ情報を受け取って同期するとともに、前記ユーザ情報を第２の稼働装置と同期するように構成された同期ユニットと、
前記ユーザ情報が同期された後に、伝送状態をメインに設定してデータストリーム切換えを実施するように構成された設定ユニットとを備え、
稼働装置と前記第２の稼働装置はホットスタンバイ機構を提供するグループを構成する、データ伝送用の稼働装置。
【請求項１４】
前記受信ユニットが、回復指示メッセージを受け取るようにさらに構成されており、
前記同期ユニットが、前記受信ユニットが前記回復指示メッセージを受け取った後に、前記データ伝送用の休止装置が前記ユーザ情報を受け取って同期するように、記憶されている前記ユーザ情報を前記データ伝送用の休止装置に送るようにさらに構成されており、
前記同期ユニットが、前記ユーザ情報が同期された後に、前記伝送状態をスタンバイに設定するようにさらに構成されている請求項13に記載のデータ伝送用の稼働装置。
【請求項１５】
省エネルギー状態に入るように示すメッセージを受け取り、同メッセージを受け取った後、記憶されているユーザ情報をデータ伝送用の第１の稼働装置へ送り、前記ユーザ情報が同期された後に、自身の伝送状態をスタンバイに設定してスリープ状態に入るように構成されたデータ伝送用の休止装置と、
省エネルギー状態に入るように示すメッセージを受け取り、同メッセージを受け取った後、前記データ伝送用の休止装置が送った前記ユーザ情報を受け取って同期するとともに前記ユーザ情報を第２の稼働装置と同期し、前記ユーザ情報が同期された後に、自身の前記伝送状態をメインに設定してデータストリーム切換えを実施するように構成された前記データ伝送用の第１の稼働装置と、
ホットスタンバイ機構を提供するグループを前記第１の稼働装置と構成する、データ伝送用の前記第２の稼働装置と、
ネットワークトラフィックを検出し、省エネルギー状態に入るように示す前記メッセージを、前記データ伝送用の休止装置ならびに前記データ伝送用の第１の稼働装置および第２の稼働装置へ送るように構成されたネットワーク管理装置とを備えるデータストリーム伝送のためのシステム。
【請求項１６】
前記データ伝送用の休止装置が、回復指示メッセージを受け取り、同メッセージを受け取った後、前記データ伝送用の第１の稼働装置が送った前記ユーザ情報を受け取って同期し、前記ユーザ情報が同期された後に、自身の前記伝送状態をメインに設定してデータストリーム切換えを実施するようにさらに構成されており、
前記データ伝送用の第１の稼働装置が、回復指示メッセージを受け取り、同メッセージを受け取った後、前記データ伝送用の休止装置が前記ユーザ情報を受け取って同期するように、前記記憶されているユーザ情報を前記データ伝送用の休止装置に送り、前記ユーザ情報が同期された後に、自身の伝送状態をスタンバイに設定するようにさらに構成されており、
前記ネットワーク管理装置が、前記ネットワークトラフィックを検出し、前記回復指示メッセージを、前記データ伝送用の休止装置ならびに前記データ伝送用の第１稼働装置および第２の稼働装置へ送るようにさらに構成されている請求項15に記載のデータストリーム伝送のためのシステム。
【発明の詳細な説明】
【技術分野】
【０００１】
本発明は通信の分野に関し、特にデータストリーム伝送のための方法、装置およびシステムに関する。
【背景技術】
【０００２】
広帯域リモートアクセスサーバ(Broadband Remote Access Server、BRAS)は、広帯域ネットワーク用途を対象とする新しいタイプのアクセスゲートウェイである。広帯域リモートアクセスサーバは、バックボーンネットワークのエッジ層に配置され、ユーザ帯域幅向けのインターネットプロトコル(Internet Protocol、IP)ネットワーク/非同期転送モード(Asynchronous Transfer Mode、ATM)ネットワークのデータアクセスを完結することができ、それによって、商業ビルおよび村落居住者のための広帯域インターネット、IPセキュリティプロトコル(IP Security Protocol、IPSec)ベースのIP仮想プライベートネットワーク(IP Virtual Private Network、IP VPN)サービス、イントラネット構築、およびユーザに対するホールセールサービスへの、インターネットサービスプロバイダ(ISP)に対する支援などの用途を実現する。
【０００３】
現在、複数のBRASが、データストリーム伝送中にデータトラフィックの種々のシナリオが変化するのを考慮に入れることなく、ユーザに対してデータストリーム伝送サービスを同時に提供することが多い。
【０００４】
本発明者は、従来技術では、BRASのデータストリーム伝送の間のエネルギー消費が考慮されていないことに気付いた。
【発明の概要】
【発明が解決しようとする課題】
【０００５】
本発明の実施形態は、装置間のデータストリーム伝送のエネルギー消費を低減することができるデータストリーム伝送のための方法、装置およびシステムを提供するものである。
【課題を解決するための手段】
【０００６】
一態様により、データストリーム伝送の方法が提供され、この方法は、
省エネルギー状態に入るように示すメッセージを受け取るステップと、
省エネルギー状態に入るように示すメッセージを受け取った後に、稼働装置(on-duty device)がユーザ情報を受け取って同期するように、記憶されているユーザ情報を稼働装置に送るステップと、
ユーザ情報が同期された後に、伝送状態をスタンバイに設定してスリープ状態に入るステップとを含む。
【０００７】
別の態様により、データストリーム伝送の方法がさらに提供され、この方法は、
省エネルギー状態に入るように示すメッセージを受け取るステップと、
省エネルギー状態に入るように示すメッセージを受け取った後に、休止装置(resting device)が送ったユーザ情報を受け取って同期するステップと、
ユーザ情報が同期された後に、伝送状態をメインに設定してデータストリーム切換えを実施するステップとを含む。
【０００８】
別の態様により、データストリーム伝送のための休止装置が提供され、この装置は、
省エネルギー状態に入るように示すメッセージを受け取るように構成された受信ユニットと、
受信ユニットが省エネルギー状態に入るように示すメッセージを受け取った後に、データ伝送用の稼働装置がユーザ情報を受け取って同期するように、記憶されているユーザ情報をデータ伝送用の稼働装置へ送るように構成された同期ユニットと、
ユーザ情報が同期された後に、伝送状態をスタンバイに設定してスリープ状態に入るように構成された設定ユニットとを含む。
【０００９】
別の態様により、データ伝送用の稼働装置が提供され、この装置は、
省エネルギー状態に入るように示すメッセージを受け取るように構成された受信ユニットと、
受信ユニットが省エネルギー状態に入るように示すメッセージを受け取った後に、データ伝送用の休止装置が送ったユーザ情報を受け取って同期するように構成された同期ユニットと、
ユーザ情報が同期された後に、伝送状態をメインに設定してデータストリーム切換えを実施するように構成された設定ユニットとを含む。
【００１０】
別の態様により、データストリーム伝送のためのシステムが提供され、このシステムには、
省エネルギー状態に入るように示すメッセージを受け取り、同メッセージを受け取った後、記憶されているユーザ情報をデータ伝送用の稼働装置へ送り、ユーザ情報が同期された後に、自身の伝送状態をスタンバイに設定してスリープ状態に入るように構成されたデータ伝送用の休止装置と、
省エネルギー状態に入るように示すメッセージを受け取り、同メッセージを受け取った後、データ伝送用の休止装置が送ったユーザ情報を受け取って同期させ、ユーザ情報が同期された後に、自身の伝送状態をメインに設定してデータストリーム切換えを実施するように構成されたデータ伝送用の稼働装置と、
ネットワークトラフィックを検出して、省エネルギー状態に入るように示すメッセージを、データ伝送用の休止装置およびデータ伝送用の稼働装置へ送るように構成されたネットワーク管理装置とが含まれる。
【００１１】
本発明の実施形態は、データストリーム伝送のための方法、装置およびシステムを提供するものであり、休止装置は、省エネルギー状態に入るように示すメッセージを受け取った後に、稼働装置がユーザ情報を受け取って同期するように、記憶されているユーザ情報を稼働装置に送って、ユーザ情報が同期された後に、自身の伝送状態をスタンバイに設定してスリープ状態に入り、一方、稼働装置は、自身の伝送状態をメインに設定してデータストリームを切り換える。したがって、装置間でユーザ情報が同期された後に、一方の(グループの)装置がスリープ状態に入って他方が通常の稼働状態を保ち、それによって、装置間のデータストリーム伝送におけるエネルギー消費が低減される。
【００１２】
本発明の実施形態の技術的解決策または従来技術をより明瞭に説明するために、実施形態または従来技術を説明するのに用いられる図面が、以下で簡単に紹介される。明らかに、以下の図面は、本発明のいくつかの実施形態を説明するものでしかなく、当業者なら、創造的な努力を払うことなく、これらの図面から他の図面を得ることができる。
【図面の簡単な説明】
【００１３】
【図１】本発明の一実施形態によってもたらされるデータストリーム伝送の方法の流れ図である。
【図２】本発明の別の実施形態によってもたらされるデータストリーム伝送の方法の流れ図である。
【図３】本発明の一実施形態によってもたらされるデータストリーム伝送のためのシステムの構造図である。
【図４】本発明の一実施形態によってもたらされるデータストリーム伝送の方法において省エネルギー状態に入るプロセス図である。
【図５】本発明の一実施形態によってもたらされるデータストリーム伝送の方法における回復のプロセス図である。
【図６】本発明の一実施形態によってもたらされるデータストリーム伝送のための別のシステムの構造図である。
【図７】本発明の一実施形態によってもたらされるデータストリーム伝送の方法において省エネルギー状態に入る別のプロセス図である。
【図８】本発明の一実施形態によってもたらされるデータストリーム伝送の方法における回復の別のプロセス図である。
【図９】本発明の一実施形態によってもたらされるデータ伝送用の休止装置の構造図である。
【図１０】本発明の一実施形態によってもたらされるデータ伝送用の稼働装置の構造図である。
【図１１】本発明の一実施形態によってもたらされるデータストリーム伝送のためのシステムの構造図である。
【発明を実施するための形態】
【００１４】
本発明の実施形態の技術的解決策を、図面を参照しながら、以下で明瞭かつ完全に説明する。明らかに、説明される実施形態は実施形態のすべてではなく、本発明の実施形態の一部分でしかない。本発明の実施形態に基づいて、当業者が創造的な努力を払うことなく得られるいかなる他の実施形態も、本発明の保護範囲内に入るものとする。
【００１５】
本発明の実施形態では、データストリーム切換えの後に稼動状態である装置が稼働装置と定義され、一方、データストリーム切換えの後にスリープ状態である装置が休止装置と定義される。
【００１６】
本発明の一実施形態によってもたらされるデータストリーム伝送の方法が図1に示されており、以下のステップを含む。
【００１７】
ステップS100で、休止装置は、省エネルギー状態に入るように示すメッセージを受け取る。
【００１８】
省エネルギー状態に入るように示すメッセージは、ネットワーク管理装置によって送られてよい。
【００１９】
ステップS101で、休止装置は、省エネルギー状態に入るように示すメッセージを受け取った後に、稼働装置がユーザ情報を受け取って同期するように、記憶されているユーザ情報を稼働装置に送る。
【００２０】
ステップS102で、休止装置は、ユーザ情報が同期された後に、自身の伝送状態をスタンバイに設定してスリープ状態に入る。
【００２１】
例えば、休止装置は、自身の伝送状態をスタンバイに設定するように、自身の仮想ルータ冗長プロトコルに従って装置優先度を低に設定してよい。
【００２２】
本発明の実施形態によってもたらされるデータストリーム伝送の方法では、休止装置は、省エネルギー状態に入るように示すメッセージを受け取った後に、稼働装置がユーザ情報を受け取って同期するように、記憶されているユーザ情報を稼働装置に送って、ユーザ情報が同期された後に、自身の伝送状態をスタンバイに設定してスリープ状態に入り、一方、稼働装置は、自身の伝送状態をメインに設定してデータストリームを切り換える。したがって、装置間でユーザ情報が同期された後に、一方の(グループの)装置がスリープ状態に入って他方が通常の稼働状態を保ち、それによって、装置間のデータストリーム伝送中のエネルギー消費が低減される。
【００２３】
本発明の別の実施形態によってもたらされるデータストリーム伝送の方法が図2に示されており、以下のステップを含む。
【００２４】
ステップS200で、稼働装置は、省エネルギー状態に入るように示すメッセージを受け取る。
【００２５】
省エネルギー状態に入るように示すメッセージは、ネットワーク管理装置によって送られてよい。
【００２６】
ステップS201で、稼働装置は、省エネルギー状態に入るように示すメッセージを受け取った後に、休止装置が送ったユーザ情報を受け取って同期するする。
【００２７】
ステップS202で、稼働装置は、ユーザ情報が同期された後に、自身の伝送状態をメインに設定してデータストリーム切換えを実施する。
【００２８】
例えば、稼働装置は、データストリーム切換えをトリガするために上流装置にルーティングを分配する。稼働装置は、自身の伝送状態をメインに設定するように、自身の仮想ルータ冗長プロトコル(Virtual Router Redundancy Protocol、VRRP)に従って装置優先度を低に設定し、下流装置にアドレス解決プロトコル(Address Resolution Protocol、ARP)のパケットを送ることが可能である。
【００２９】
この実施形態では、稼働装置または休止装置のいずれかが広帯域リモートアクセスサーバ(Broadband Remote Access Server、BRAS)であり得る。
【００３０】
本発明の実施形態によってもたらされるデータストリーム伝送の方法では、休止装置は、稼働装置が省エネルギー状態に入るように示すメッセージを受け取った後に、稼働装置がユーザ情報を受け取って同期するように、記憶されているユーザ情報を稼働装置に送って、ユーザ情報が同期された後に、自身の伝送状態をスタンバイに設定してスリープ状態に入り、一方、稼働装置は、自身の伝送状態をメインに設定してデータストリームを切り換える。したがって、装置間でユーザ情報が同期された後に、一方の(グループの)装置がスリープ状態に入って他方が通常の稼働状態を保ち、それによって、装置間のデータストリーム伝送中のエネルギー消費が低減される。
【００３１】
本発明のさらに別の実施形態によってもたらされるデータストリーム伝送の方法が、図3および図4を参照しながら、データストリーム伝送のための2つの装置の実例によって説明される。図3に示されるように、ネットワーク管理装置301は、伝送装置として使用される第1の装置302および第2の装置303にそれぞれ接続されている。上流装置304(例えば上部層ルータ)は、第1の装置302および第2の装置303にそれぞれ接続されている。第1の装置302および第2の装置303は、それぞれ下流装置305(例えばスイッチ)にさらに接続されている。この実施形態では、第1の装置302または第2の装置303のいずれかがBRASでよい。
【００３２】
図4に示されるように、この実施形態は以下のステップを含む。
【００３３】
S400で、ネットワーク管理装置301は、データストリーム伝送のための装置として使用される第1の装置302および第2の装置303に省エネルギー状態に入るように示すメッセージを送る。この実施形態では、第1の装置302が休止装置に、また第2の装置303が稼働装置に、先に割り当てられていてよい。
【００３４】
ここで、ネットワーク管理装置301は、第1の装置302および第2の装置303に、省エネルギー状態に入るように示すメッセージを周期的に送ってよく、またはネットワークのデータトラフィックを検出して、データトラフィックが所定の条件を満たしたとき、第1の装置302および第2の装置303へ省エネルギー状態に入るように示すメッセージを送ってもよい。
【００３５】
S401で、休止装置302は、ネットワーク管理装置301が送った省エネルギー状態に入るように示すメッセージを受け取った後に、記憶されているユーザ情報を稼働装置303へ送り、稼働装置303はユーザ情報を受け取って同期する。
【００３６】
S402で、稼働装置303は、休止装置302が送ったユーザ情報を受け取って同期した後に、データストリーム切換えを実施するように、上流装置として使用される上部層ルータ304にユーザ側のルーティングを分配する。
【００３７】
S403で、稼働装置303は、ユーザ情報の同期が完了したとのメッセージをネットワーク管理装置301に送る。
【００３８】
S404で、稼働装置303は、ユーザ情報を同期した後に、自身の伝送状態をメインに設定するように、そのVRRPに従って装置優先度を高に設定する。
【００３９】
S405で、ネットワーク管理装置301は、切換え開始を示すメッセージを休止装置302に送る。
【００４０】
S406で、休止装置302は、ネットワーク管理装置が送った切換え開始を示すメッセージを受け取った後に、自身の伝送状態をスタンバイに設定するように、そのVRRPに従って、装置優先度を低に設定する。
【００４１】
S407で、休止装置302は、自身の伝送状態をスタンバイに設定した後に、ユーザ側のルーティングをキャンセルするメッセージを上部層ルータ304に送る。
【００４２】
S408で、休止装置302が、ユーザ側のルーティングをキャンセルするメッセージを上部層ルータ304に送る一方で、稼働装置303が、下流装置として使用されるスイッチ305にARPのパケットを送る。
【００４３】
S409で、休止装置302は、上部層ルータ304にユーザ側のルーティングをキャンセルするメッセージを送った後に、ネットワーク管理装置301に切換え完了メッセージを送る。
【００４４】
S410で、稼働装置303は、スイッチ305にARPのパケットを送った後に、ネットワーク管理装置301に切換え完了メッセージを送る。
【００４５】
S411で、ネットワーク管理装置301は、休止装置302および稼働装置303がそれぞれ送った切換え完了メッセージを受け取った後に、休止装置302にスリープ命令を送る。
【００４６】
S412で、休止装置302は、スリープ命令を受け取った後にスリープ状態に入る。さらに、休止装置のインターフェースボードの電源が切られてもよい。
【００４７】
本発明の実施形態によってもたらされるデータストリーム伝送の方法では、休止装置は、省エネルギー状態に入るように示すメッセージを受け取った後に、稼働装置がユーザ情報を受け取って同期するように、記憶されているユーザ情報を稼働装置に送り、ユーザ情報が同期された後に、自身の伝送状態をスタンバイに設定してスリープ状態に入り、一方、稼働装置は、自身の伝送状態をメインに設定してデータストリームを切り換える。したがって、装置間でユーザ情報が同期された後に、一方の装置がスリープ状態に入って他方が通常の稼働状態を保ち、それによって、装置間のデータストリーム伝送におけるエネルギー消費が低減される。
【００４８】
さらに、省エネルギー状態が終了するか、またはネットワークにおけるデータトラフィックが所定の条件を満たすのをネットワーク管理装置が検出したとき、スリープ状態の休止装置が、稼動状態を回復するように喚起されることになっている。図5に示されるように、この実施形態は以下の状態を含む。
【００４９】
S500で、ネットワーク管理装置301は休止装置302に回復指示メッセージを送る。
【００５０】
S501で、休止装置302は、回復指示メッセージを受け取った後に、関連したコンフィギュレーション情報を回復する。
【００５１】
S502で、休止装置302は、関連したコンフィギュレーション情報を回復した後に、ネットワーク管理装置301に回復完了メッセージを送る。
【００５２】
S503で、ネットワーク管理装置301は、休止装置302および稼働装置303にユーザ情報同期命令を送る。
【００５３】
S504で、稼働装置303は、ネットワーク管理装置301が送ったユーザ情報同期命令を受け取った後に、記憶されているユーザ情報を休止装置302送り、休止装置302は、ネットワーク管理装置301が送ったユーザ情報同期命令を受け取った後に、稼働装置303が送ったユーザ情報を受け取って同期する。
【００５４】
S505で、休止装置302は、稼働装置303が送ったユーザ情報を同期した後に、ネットワーク管理装置301に同期完了メッセージを送る。
【００５５】
S506で、ネットワーク管理装置301は、休止装置302が送った同期完了メッセージを受け取った後に、休止装置302に切換え開始を示すメッセージを送る。
【００５６】
S507で、休止装置302は、ネットワーク管理装置301が送った切換え開始を示すメッセージを受け取った後に、自身の伝送状態をメインに設定するように、そのVRRPに従って装置優先度を高に設定する。
【００５７】
S508で、稼働装置303は、自身の伝送状態をスタンバイに設定するように、そのVRRPに従って装置優先度を低に設定する。S508は、稼働装置303が休止装置302にユーザ情報を送るステップS504の後に遂行されるが、S507の後に遂行されるように制限されているわけではないことに注意されたい。
【００５８】
S509で、休止装置302は、自身の伝送状態をメインに設定した後に、データストリーム切換えを実施するように、上部層ルータ304にユーザ側のルーティングを分配する。
【００５９】
S510で、休止装置302は、上部層ルータ304にユーザ側のルーティングを分配する一方で、スイッチ305にARPのパケットを送る。
【００６０】
S511で、休止装置302は、上部層ルータ304にユーザ側のルーティングを分配し、スイッチ305にARPのパケットを送った後に、ネットワーク管理装置301に切換え完了メッセージを送る。
【００６１】
したがって、スリープ状態の休止装置がネットワーク管理装置によって喚起されて稼動状態を回復してよく、それによって通常のデータストリーム伝送が保証される。
【００６２】
それに加えて、システムが省エネルギー状態に入るとき、休止装置が時間内に稼動状態を回復するのを保証するように、休止装置とネットワーク管理装置の間の通信リンクは閉じないものとする。
【００６３】
本発明の別の実施形態によってもたらされるデータストリーム伝送の方法が、図6および図7を参照しながら2つのグループで4つのデータストリームの実例によって説明される。図6に示されるように、ネットワーク管理装置601は、それぞれデータストリーム伝送のための装置として使用される第3の装置603、第4の装置604、第5の装置605および第6の装置606に接続されている。上流装置602(例えば上部層ルータ)は、第3の装置603、第4の装置604、第5の装置605および第6の装置606にそれぞれ接続されている。第3の装置603、第4の装置604、第5の装置605および第6の装置606は、それぞれ下流装置607(例えばスイッチ)にさらに接続されている。この実施形態では、第3の装置603、第4の装置604、第5の装置605および第6の装置606のうち任意のものがBRASでよい。
【００６４】
この実施形態では、第3の装置603および第4の装置604が休止装置であり、第3の装置603がメイン休止装置であって第4の装置604がスタンバイ休止装置であり、第5の装置605および第6の装置606が稼働装置であり、第5の装置605がメイン稼働装置であって第6の装置606がスタンバイ稼働装置であるように先に割り当てられていてよい。
【００６５】
図7に示されるように、この実施形態は以下のステップを含む。
【００６６】
S700で、ネットワーク管理装置601は、メイン休止装置603に省エネルギー状態に入るように示すメッセージを送る。
【００６７】
ここで、ネットワーク管理装置601は、メイン休止装置603に省エネルギー状態を示すメッセージを周期的に送ってよく、またはネットワークのデータトラフィックを検出して、データトラフィックが所定の条件を満たしたとき、メイン休止装置603に省エネルギー状態に入るように示すメッセージを送ってよい。
【００６８】
S701で、メイン休止装置603は、ネットワーク管理装置601が送った省エネルギー状態に入るように示すメッセージを受け取った後に、ユーザ情報を受け取って同期するメイン稼働装置605へ、記憶されているユーザ情報を送る。
【００６９】
S702で、メイン稼働装置605は、メイン休止装置603が送ったユーザ情報を受け取って同期した後に、ユーザ情報を受け取って同期するスタンバイ稼働装置606にユーザ情報を送る。
【００７０】
S703で、スタンバイ稼働装置606がユーザ情報を受け取って同期した後に、メイン稼働装置605は、データストリーム切換えを実施するように、上流装置として使用される上部層ルータ602にユーザ側のルーティングを分配する。
【００７１】
S704で、データストリーム切換えを実施するように、メイン稼働装置605が上部層ルータ602にユーザ側のルーティングを分配する一方で、スタンバイ稼働装置606も上部層ルータ602にユーザ側のルーティングを分配する。
【００７２】
S705で、メイン稼働装置605およびスタンバイ稼働装置606が上部層ルータ602にユーザ側のルーティングを分配した後に、スタンバイ稼働装置606は、ネットワーク管理装置601にユーザ情報同期完了メッセージを送る。
【００７３】
S706で、スタンバイ稼働装置606は、ネットワーク管理装置601にユーザ情報同期完了メッセージを送った後に、自身の伝送状態をスタンバイに設定するように、そのVRRPに従って装置優先度を低に設定する。
【００７４】
S707で、ネットワーク管理装置601は、メイン休止装置603、スタンバイ休止装置604およびメイン稼働装置605に、切換え開始を示すメッセージを送る。
【００７５】
S708で、メイン休止装置603は、ネットワーク管理装置601が送った切換え開始を示すメッセージを受け取った後に、自身の伝送状態をスタンバイに設定するように、そのVRRPに従って装置優先度を低に設定する。
【００７６】
S709で、スタンバイ休止装置604は、ネットワーク管理装置601が送った切換え開始を示すメッセージを受け取った後に、自身の伝送状態をスタンバイに設定するように、そのVRRPに従って装置優先度を低に設定する。
【００７７】
S710で、メイン稼働装置605は、ネットワーク管理装置601が送った切換え開始を示すメッセージを受け取った後に、自身の伝送状態をメインに設定するように、そのVRRPに従って装置優先度を高に設定する。
【００７８】
S711で、メイン休止装置603およびスタンバイ休止装置604は、それらの伝送状態を切り換えた後に、上部層ルータ602にユーザ側のルーティングを解除するメッセージを送る。
【００７９】
S712で、メイン稼働装置605およびスタンバイ稼働装置606は、それらの伝送状態を切り換えた後に、スイッチ607にARPのパケットを送る。
【００８０】
S713で、メイン稼働装置605は、スイッチ607にARPのパケットを送った後に、ネットワーク管理装置601に切換え完了メッセージを送る。
【００８１】
S714で、スタンバイ稼働装置606は、スイッチ607にARPのパケットを送った後に、ネットワーク管理装置601に切換え完了メッセージを送る。
【００８２】
S715で、ネットワーク管理装置601は、メイン稼働装置605およびスタンバイ稼働装置606が送った切換え完了メッセージを受け取った後に、メイン休止装置603およびスタンバイ休止装置604にスリープ命令を送る。
【００８３】
S716で、メイン休止装置603は、スリープ命令を受け取った後にスリープ状態に入る。さらに、メイン休止装置603は電源を切られてもよい。
【００８４】
S717で、スタンバイ休止装置604は、スリープ命令を受け取った後にスリープ状態に入る。さらに、スタンバイ休止装置604は電源を切られてもよい。
【００８５】
この実施形態では、休止装置と稼働装置の間のユーザ情報同期のプロセスには、メイン休止装置が、記憶されているユーザ情報をメイン稼働装置に送り、スタンバイ休止装置が、記憶されているユーザ情報をスタンバイ稼働装置に送ること、または、メイン休止装置が、記憶されているユーザ情報をメイン稼働装置に送り、メイン休止装置が、記憶されているユーザ情報をスタンバイ稼働装置に送ることがさらに含まれてもよい。
【００８６】
しかし、実用化を考えると、メイン稼働装置の情報とスタンバイ稼働装置の情報が互いに矛盾するのを防止し、かつ情報の信頼度を向上させるために、メイン休止装置が、記憶されているユーザ情報をメイン稼働装置に送り、次いで、メイン稼働装置がユーザ情報をスタンバイ稼働装置と同期する同期モードを採用する方が、より優れているであろう。
【００８７】
本発明の実施形態によってもたらされるデータストリーム伝送の方法では、休止装置は、省エネルギー状態に入るように示すメッセージを受け取った後に、稼働装置がユーザ情報を受け取って同期するように、記憶されているユーザ情報を稼働装置に送り、ユーザ情報が同期された後に、自身の伝送状態をスタンバイに設定してスリープ状態に入り、一方、稼働装置は、自身の伝送状態をメインに設定してデータストリームを切り換える。したがって、装置間でユーザ情報が同期された後に、一方のグループの装置がスリープ状態に入って他方が通常の稼働状態を保ち、それによって、装置間のデータストリーム伝送におけるエネルギー消費が低減される。一方、各グループがデータストリーム伝送のための2つの装置から成るので、稼働装置のデータストリーム伝送の信頼性がホットスタンバイ機構によって保証される。
【００８８】
さらに、省エネルギー状態が終了するか、またはネットワークにおけるデータトラフィックが所定の条件を満たすのをネットワーク管理装置が検出したとき、スリープ状態の休止装置が、稼動状態を回復するように喚起されることになっている。図8に示されるように、この実施形態は以下のステップを含む。
【００８９】
S800で、ネットワーク管理装置601は、メイン休止装置603およびスタンバイ休止装置604に回復指示メッセージを送る。
【００９０】
S801で、メイン休止装置603は、ネットワーク管理装置601が送った回復指示メッセージを受け取った後に、関連したコンフィギュレーション情報を回復する。
【００９１】
S802で、スタンバイ休止装置604は、ネットワーク管理装置601が送った回復指示メッセージを受け取った後に、関連したコンフィギュレーション情報を回復する。
【００９２】
S803で、メイン休止装置603およびスタンバイ休止装置604は、関連したコンフィギュレーション情報を回復した後に、ネットワーク管理装置601に回復完了メッセージを送る。
【００９３】
S804で、ネットワーク管理装置601は、メイン休止装置603およびスタンバイ休止装置604が送った回復完了メッセージを受け取った後に、メイン休止装置603、スタンバイ休止装置604およびメイン稼働装置605にユーザ情報同期命令を送る。
【００９４】
S805で、メイン稼働装置605は、ネットワーク管理装置601が送ったユーザ情報同期命令を受け取った後に、メイン休止装置603がユーザ情報を受け取って同期するように、記憶されているユーザ情報をメイン休止装置603に送る。
【００９５】
S806で、メイン休止装置603は、メイン稼働装置605が送ったユーザ情報を受け取って同期させた後に、スタンバイ休止装置604がユーザ情報を受け取って同期するように、スタンバイ休止装置604にユーザ情報を送る。
【００９６】
S807で、スタンバイ休止装置604がユーザ情報を受け取って同期させた後に、メイン休止装置603は、ネットワーク管理装置601に同期完了メッセージを送る。
【００９７】
S808で、メイン稼働装置605は、ネットワーク管理装置601が送ったユーザ情報同期命令を受け取った後に、自身の伝送状態をスタンバイに設定するように、そのVRRPに従って装置優先度を低に設定する。
【００９８】
S809で、スタンバイ稼働装置606は、自身の伝送状態をスタンバイに設定するように、そのVRRPに従って装置優先度を低に設定する。
【００９９】
S810で、ネットワーク管理装置601は、メイン休止装置603が送った同期完了メッセージを受け取った後に、メイン休止装置603およびスタンバイ休止装置604に切換え開始を示すメッセージを送る。
【０１００】
S811で、メイン休止装置603は、ネットワーク管理装置601が送った切換え開始を示すメッセージを受け取った後に、自身の伝送状態をメインに設定するように、そのVRRPに従って装置優先度を高に設定する。
【０１０１】
S812で、スタンバイ休止装置604は、ネットワーク管理装置601が送った切換え開始を示すメッセージを受け取った後に、自身の伝送状態をスタンバイに設定するように、そのVRRPに従って装置優先度を低に設定する。
【０１０２】
S813で、メイン休止装置603は、自身の伝送状態を切り換えた後に、データストリーム切換えを実施するように、上流装置として使用される上部層ルータ602にユーザ側のルーティングを分配する。
【０１０３】
S814で、スタンバイ休止装置604は、自身の伝送状態を切り換えた後に、データストリーム切換えを実施するように、上部層ルータ602にユーザ側のルーティングを分配する。
【０１０４】
S815で、メイン休止装置603は、上部層ルータ602にユーザ側のルーティングを分配する一方で、下流装置として使用されるスイッチ607にARPのパケットを送る。
【０１０５】
S816で、スタンバイ休止装置604は、上部層ルータ602にユーザ側のルーティングを分配する一方で、スイッチ607にARPのパケットを送る。
【０１０６】
S817で、メイン休止装置603およびスタンバイ休止装置604は、上部層ルータ602にユーザ側のルーティングを分配し、スイッチ607にARPのパケットを送った後に、ネットワーク管理装置601に切換え完了メッセージを送る。
【０１０７】
したがって、スリープ状態の休止装置がネットワーク管理装置によって喚起されて稼動状態を回復してよく、それによって通常のデータストリーム伝送が保証される。
【０１０８】
それに加えて、システムが省エネルギー状態に入るとき、各休止装置が時間内に稼動状態を回復するのを保証するように、ネットワーク管理装置とメイン休止装置およびスタンバイ休止装置との間の通信リンクは閉じないものとする。
【０１０９】
この実施形態では、ユーザ情報同期プロセスは、メイン休止装置が、メイン稼働装置に記憶されているユーザ情報を受け取って同期し、スタンバイ休止装置が、スタンバイ稼働装置に記憶されているユーザ情報を受け取って同期することをさらに含んでよい。または、メイン休止装置が、メイン稼働装置に記憶されているユーザ情報を受け取って同期し、スタンバイ稼働装置が、メイン稼働装置に記憶されているユーザ情報を受け取って同期する。しかし、実用化を考えると、メイン稼働装置の情報とスタンバイ稼働装置の情報が互いに矛盾するのを防止し、かつ情報の信頼度を向上させるために、メイン休止装置が、メイン稼働装置に記憶されているユーザ情報を受け取って同期し、次いで、メイン休止装置がユーザ情報をスタンバイ休止装置と同期する同期モードを採用する方が、より優れているであろう。
【０１１０】
この実施形態では、各装置によるデータストリーム伝送のプロセス中に、ネットワーク管理装置は、動作状態のすべての装置間の情報同期が完了するまで、各装置に、各装置の状態および情報同期の条件に従ってデータストリームを伝送するように通知してよいことに注意されたい。または、作業グループの複数の装置が、情報同期の進行を判断して、同期がすべて完了した後にそれぞれ切換えを遂行するように相互作用する。しかし、実用化を考えると、ネットワーク管理装置が一様に監視して切換えを一様にトリガするように、動作状態のすべての装置間の情報同期が完了するまで、各装置に、各装置の状態および情報同期の条件に従ってデータストリームを伝送するように通知するためのネットワーク管理装置を採用する方が優れているであろう。
【０１１１】
本発明の一実施形態によってもたらされるデータ伝送用の休止装置90が図9に示されており、受信ユニット901、同期ユニット902および設定ユニット903を含む。
【０１１２】
受信ユニット901は、省エネルギー状態に入るように示すメッセージを受け取るように構成されている。
【０１１３】
同期ユニット902は、受信ユニット901が省エネルギー状態に入るように示すメッセージを受け取った後に、データ伝送用の稼働装置がユーザ情報を受け取って同期するように、記憶されているユーザ情報をデータ伝送用の稼働装置に送るように構成されている。
【０１１４】
設定ユニット903は、ユーザ情報が同期された後に、自身の伝送状態をスタンバイに設定してスリープ状態に入るように構成されている。
【０１１５】
さらに、受信ユニット901は、回復指示メッセージを受け取るようにも構成されている。
【０１１６】
同期ユニット902は、受信ユニット901が回復指示メッセージを受け取った後に、データ伝送用の稼働装置が送ったユーザ情報を受け取って同期するようにも構成されている。
【０１１７】
設定ユニット903は、ユーザ情報が同期された後に、自身の伝送状態をメインに設定してデータストリーム切換えを実施するようにも構成されている。
【０１１８】
この実施形態では、データ伝送用の休止装置はBRASであり得る。
【０１１９】
本発明の実施形態によってもたらされるデータ伝送用の休止装置は、省エネルギー状態に入るように示すメッセージを受け取り、記憶されているユーザ情報をデータ伝送用の稼働装置に送って、ユーザ情報が同期された後に、自身の伝送状態をスタンバイに設定してスリープ状態に入る。したがって、装置間でユーザ情報が同期された後に、一方の(グループの)装置がスリープ状態に入って他方が通常の稼働状態を保ち、それによって、装置間のデータストリーム伝送におけるエネルギー消費が低減される。そのうえ、データ伝送用の休止装置は、回復指示メッセージを受け取り、データ伝送用の稼働装置が送ったユーザ情報を受け取って同期し、ユーザ情報が同期された後に、自身の伝送状態をメインに設定してデータストリーム切換えを実施する。したがって、スリープ状態のデータ伝送用休止装置がネットワーク管理装置によって喚起されて稼動状態を回復することができ、それによって通常のデータストリーム伝送が保証される。
【０１２０】
本発明の一実施形態によってもたらされるデータ伝送用の稼働装置100が図10に示されており、受信ユニット1001、同期ユニット1002、および設定ユニット1003を含む。
【０１２１】
受信ユニット1001は、省エネルギー状態に入るように示すメッセージを受け取るように構成されている。
【０１２２】
同期ユニット1002は、受信ユニット1001が省エネルギー状態に入るように示すメッセージを受け取った後に、データ伝送用の休止装置が送ったユーザ情報を受け取って同期するように構成されている。
【０１２３】
設定ユニット1003は、ユーザ情報が同期された後に、自身の伝送状態をメインに設定してデータストリーム切換えを実施するように構成されている。
【０１２４】
さらに、受信ユニット1001は、回復指示メッセージを受け取るようにも構成されている。
【０１２５】
同期ユニットは、受信ユニット1001が回復指示メッセージを受け取った後に、データ伝送用の休止装置がユーザ情報を受け取って同期するように、記憶されているユーザ情報をデータ伝送用の休止装置に送るようにも構成されている。
【０１２６】
同期ユニット1003は、ユーザ情報が同期された後に、自身の伝送状態をスタンバイに設定するようにも構成されている。
【０１２７】
この実施形態では、データ伝送用の稼働装置はBRASであり得る。
【０１２８】
本発明の実施形態によってもたらされるデータ伝送用の稼働装置は、省エネルギー状態に入るように示すメッセージを受け取り、データ伝送用の休止装置が送ったユーザ情報を受け取って同期し、ユーザ情報が同期された後に、その伝送状態をメインに設定してデータストリーム切換えを実施する。したがって、装置間でユーザ情報が同期された後に、一方の(グループの)装置がスリープ状態に入って他方が通常の稼働状態を保ち、それによって、装置間のデータストリーム伝送におけるエネルギー消費が低減される。そのうえ、データ伝送用の稼働装置は、回復指示メッセージを受け取り、記憶されているユーザ情報をデータ伝送用の休止装置に送り、ユーザ情報が同期された後に、自身の伝送状態をスタンバイに設定する。したがって、スリープ状態のデータ伝送用休止装置は、喚起された後に、データ伝送用の稼働装置と協力して稼動状態を回復し、それによって通常のデータストリーム伝送を保証する。
【０１２９】
本発明の一実施形態によってもたらされるデータストリーム伝送のためのシステムが図11に示されており、データ伝送用の休止装置110、データ伝送用の稼働装置111およびネットワーク管理装置112を含む。
【０１３０】
データ伝送用の休止装置110は、省エネルギー状態に入るように示すメッセージを受け取り、同メッセージを受け取った後、記憶されているユーザ情報をデータ伝送用の稼働装置111へ送り、ユーザ情報が同期された後に、自身の伝送状態をスタンバイに設定してスリープ状態に入るように構成されている。
【０１３１】
データ伝送用の稼働装置111は、省エネルギー状態に入るように示すメッセージを受け取り、同メッセージを受け取った後、データ伝送用の休止装置110が送ったユーザ情報を受け取って同期させ、ユーザ情報が同期された後に、自身の伝送状態をメインに設定してデータストリーム切換えを実施するように構成されている。
【０１３２】
ネットワーク管理装置112は、ネットワークトラフィックを検出して、データ伝送用の休止装置110およびデータ伝送用の稼働装置111に省エネルギー状態に入るように示すメッセージを送るように構成されている。
【０１３３】
さらに、データ伝送用の休止装置110は、回復指示メッセージを受け取り、同メッセージを受け取った後、データ伝送用の稼働装置111が送ったユーザ情報を受け取って同期し、ユーザ情報が同期された後に、自身の伝送状態をメインに設定してデータストリーム切換えを実施するようにも構成されている。
【０１３４】
データ伝送用の稼働装置111は、回復指示メッセージを受け取り、同メッセージを受け取った後、データ伝送用の休止装置110がユーザ情報を受け取って同期するように、記憶されているユーザ情報をデータ伝送用の休止装置110に送って、ユーザ情報が同期された後に、自身の伝送状態をスタンバイに設定するようにも構成されている。
【０１３５】
ネットワーク管理装置112は、ネットワークトラフィックを検出して、データ伝送用の休止装置110およびデータ伝送用の稼働装置111に回復指示メッセージを送るようにも構成されている。
【０１３６】
この実施形態では、データ伝送用の休止装置110およびデータ伝送用の稼働装置111はBRASであり得る。
【０１３７】
本発明の実施形態によってもたらされるデータストリーム伝送のためのシステムでは、データ伝送用の休止装置は、省エネルギー状態に入るように示すメッセージを受け取り、記憶されているユーザ情報をデータ伝送用の稼働装置に送って、ユーザ情報が同期された後に、自身の伝送状態をスタンバイに設定してスリープ状態に入る。したがって、装置間でユーザ情報が同期された後に一方の(グループの)装置がスリープ状態に入って他方が通常の稼動状態を保ち、それによって、装置間のデータストリーム伝送におけるエネルギー消費が低減される。
【０１３８】
そのうえ、データ伝送用の休止装置は、回復指示メッセージを受け取り、データ伝送用の稼働装置が送ったユーザ情報を受け取って同期し、ユーザ情報が同期された後に、自身の伝送状態をメインに設定してデータストリーム切換えを実施する。したがって、スリープ状態のデータ伝送用休止装置がネットワーク管理装置によって喚起されて稼動状態を回復してよく、それによって通常のデータストリーム伝送が保証される。
【０１３９】
上記の説明は本発明のいくつかの実施形態でしかなく、本発明の保護範囲はそれに限定されるものではない。本発明によって開示された技術範囲内の、当業者なら容易に考えられるいかなる変更または代替も、本発明の保護範囲によって包含されるものとする。したがって、本発明の保護範囲は特許請求の範囲の保護範囲によって決定されるものとする。
【符号の説明】
【０１４０】
301  ネットワーク管理装置
302  第1の装置
303  第2の装置
304  上流装置
305  下流装置
601  ネットワーク管理装置
602  上流装置
603  第3の装置
604  第4の装置
605  第5の装置
606  第6の装置
607  下流装置
90  データ伝送用の休止装置
901  受信ユニット
902  同期ユニット
903  設定ユニット
100  データ伝送用の稼働装置
1001  受信ユニット
1002  同期ユニット
1003  設定ユニット
110  データ伝送用の休止装置
111  データ伝送用の稼働装置
112  ネットワーク管理装置
【図１】
0005768938.tif 000002
【図２】
0005768938.tif 000003
【図３】
0005768938.tif 000004
【図４】
0005768938.tif 000005
【図５】
0005768938.tif 000006
【図６】
0005768938.tif 000007
【図７】
0005768938.tif 000008
【図８】
0005768938.tif 000009
【図９】
0005768938.tif 000010
【図１０】
0005768938.tif 000011
【図１１】
0005768938.tif 000012